(57)【要約】【課題】  表示の選択作業を容易にし、搬送も容易にして、設置作業性を向上させるとともに、表示板の交換作業性を向上させ、非使用時の収納性も向上させる。【解決手段】  矩形に形成され工事に関する情報が表示された表示板１と、表示板１が付設されるフレーム１１及びこのフレーム１１を接地面に立設する脚体２０を有したスタンド１０とを備え、フレーム１１を、表示板１の左右一対の側辺１ｃが夫々スライド可能に挿通される一対のガイドフレーム１２と、一対のガイドフレーム１２間に架設され表示板１の下辺１ｂを支持する支持フレーム１３とを備えて構成し、表示板１をフレーム１１に対して着脱自在にした。【選択図】  図１
0003110515.tif 000002
【実用新案登録請求の範囲】
【請求項１】
上辺，下辺，左右一対の側辺を有して矩形に形成され工事に関する情報が表示された表示板と、該表示板が付設されるフレーム及び該フレームに設けられ該フレームを接地面に立設する脚体を有したスタンドとを備えた工事用看板において、
上記フレームを、上記表示板の左右一対の側辺が夫々スライド可能に挿通される一対のガイドフレームと、該一対のガイドフレーム間に架設され上記表示板の下辺を支持する支持フレームとを備えて構成し、上記表示板を上記フレームに対して着脱自在にしたことを特徴とする工事用看板。
【請求項２】
上記ガイドフレーム及び支持フレームを、上記表示板の裏面側を支承する支承壁と、該支承壁に立設され上記各辺の端面に沿う立設壁と、該立設壁に折曲形成され上記表示板の表面側を押える押え壁とを備えて構成したことを特徴とする請求項１記載の工事用看板。
【請求項３】
上記支承壁を、上記表示板の裏面外周を支承する枠体で構成したことを特徴とする請求項２記載の工事用看板。
【請求項４】
上記支持フレームを構成する立設壁に、水抜き穴を形成したことを特徴とする請求項２または３記載の工事用看板。
【請求項５】
上記表示板を、透明若しくは半透明の樹脂で形成したことを特徴とする請求項１，２，３または４記載の工事用看板。
【請求項６】
上記脚体は、一端が上記支持フレームの両端に固定され他端が接地される一対の固定脚と、一端が上記各ガイドフレームに夫々回動可能に設けられ他端が接地させられる棒状に形成され、回動させられて上記フレームに略沿う閉位置及び他端を接地させて該フレームを立設保持する開位置の２位置に位置させられる一対の可動脚と、該可動脚を開位置で上記フレームに係止する係止部とを備えて構成されることを特徴とする請求項１，２，３，４または５記載の工事用看板。
【請求項７】
上記一対の固定脚間に接地させられる架設杆を架設し、上記一対の可動脚間に接地させられる架設杆を架設し、各架設杆に接地面に止着するためのスタッド部材が挿通可能な挿通孔を設けたことを特徴とする請求項６記載の工事用看板。
【請求項８】
上辺，下辺，左右一対の側辺を有して矩形に形成され工事に関する情報が表示された表示板と、該表示板が付設されるフレーム及び該フレームに設けられ該フレームを設置面に立設する脚体を有したスタンドとを備えた看板において、
上記フレームを、上記表示板の左右一対の側辺が夫々スライド可能に挿通される一対のガイドフレームと、該一対のガイドフレーム間に架設され上記表示板の下辺を支持する支持フレームとを備えて構成し、
上記ガイドフレーム及び支持フレームを、上記表示板の裏面側を支承する支承壁と、該支承壁に立設され上記各辺の端面に沿う立設壁と、該立設壁に折曲形成され上記表示板の表面側を押える押え壁とを備えて構成し、
上記支承壁を、上記表示板の裏面外周を支承する枠体で構成し、
上記支持フレームを構成する立設壁に、水抜き穴を形成し、
上記表示板を、透明若しくは半透明の樹脂で形成し、
上記脚体は、一端が上記支持フレームの両端に固定され他端が接地される一対の固定脚と、一端が上記各ガイドフレームに夫々回動可能に設けられ他端が接地させられる棒状に形成され、回動させられて上記フレームに略沿う閉位置及び他端を接地させて該フレームを立設保持する開位置の２位置に位置させられる一対の可動脚と、該可動脚を開位置で上記フレームに係止する係止部とを備えて構成され、
上記一対の固定脚間に接地させられる架設杆を架設し、上記一対の可動脚間に接地させられる架設杆を架設し、上記各架設杆に接地面に止着するためのスタッド部材が挿通可能な挿通孔を設けたことを特徴とする工事用看板。
【考案の詳細な説明】
【技術分野】
【０００１】
本考案は、道路や建築物等に係る工事に関する情報が表示された表示板とこの表示板を立設するスタンドとを備えた工事用看板に関する。
【背景技術】
【０００２】
従来、この種の工事用看板としては、例えば、特許文献１（実用新案登録第３００２５９０号公報）記載の技術が知られている。
この工事用看板は、図６に示すように、矩形に形成され工事に関する情報が表示された表示板１００と、この表示板１００が付設される枠状のフレーム１０１及びこのフレーム１０１に設けられフレーム１０１を接地面に立設する脚体１０２を有したスタンド１０３とを備えて構成されている。
表示板１００は、カラー鋼板等の薄板製のものであり、その前面表示領域内に道路や建築物等に係る工事に関する情報が表示される。表示板１００への表示としては、例えば、「工事中」，「工事中１００Ｍ先」，「工事中５０Ｍ先」，「徐行」，「片側交互通行」等である。
表示板１００の外周には、裏面側に折曲形成される折曲取付片部１０４が延設されており、この折曲取付片部１０４をフレーム１０１の外周側面に当接させてビス１０５などで取り付け固定することにより、表示板１００はスタンド１０３に取り付けられる。
【０００３】
【特許文献１】実用新案登録第３００２５９０号公報
【考案の開示】
【考案が解決しようとする課題】
【０００４】
ところで、従来の工事用看板おいては、設置の際に、予め必要な表示のある看板を選択してから持ち運びするが、表示板１００がその折曲取付片部１０４をフレーム１０１の外周側面に当接させてビス１０５などで取り付けられることにより固定されており、表示板１００とフレーム１０１とが一体なので、嵩張ることから表示の選択作業が煩雑になり、搬送も煩雑で、設置作業性が悪くなっているという問題があった。
また、表示板１００をフレーム１０１に一度取り付けると、取外しが容易ではなく、表示板１００の表示を変更したり、表示板１００の損傷などで交換しようとする場合などには、変更，交換作業が煩雑になってしまうという問題があった。
更にまた、この工事用看板を倉庫に収納するときにも、表示板１００とフレーム１０１とが一体なので、それだけ嵩張ることから収納性も悪くなっているという問題があった。
【０００５】
本考案は、上記の問題点に鑑みてなされたもので、表示の選択作業を容易にし、搬送も容易にして、設置作業性を向上させるとともに、表示板の交換作業性を向上させ、非使用時の収納性も向上させた工事用看板を提供することを目的とする。
【課題を解決するための手段】
【０００６】
このような目的を達成するための本考案の工事用看板は、上辺，下辺，左右一対の側辺を有して矩形に形成され工事に関する情報が表示された表示板と、該表示板が付設されるフレーム及び該フレームに設けられ該フレームを接地面に立設する脚体を有したスタンドとを備えた工事用看板において、
上記フレームを、上記表示板の左右一対の側辺が夫々スライド可能に挿通される一対のガイドフレームと、該一対のガイドフレーム間に架設され上記表示板の下辺を支持する支持フレームとを備えて構成し、上記表示板を上記フレームに対して着脱自在にした構成としている。
【０００７】
これにより、この工事用看板を工事現場などで使用するときは、先ず、所要の箇所に、スタンドを設置する。この場合、フレームは、表示板と別体になっているので、搬送が容易であり、また、表示板がないので、表示板が邪魔になることがなく、それだけ、設置作業性が向上させられる。
【０００８】
それから、必要な表示板を、フレームの上側からガイドフレームに差し込みスライドさせて挿入し、下端を支持フレームに支持させる。
この場合、必要な表示板を選択するが、表示板は、フレームと別体になっているので、従来のように嵩張ることがなく、表示板が積み重ねられてまとまっていても、めくるなどして容易に所望の表示板を選択することができ、そのため、選択作業性が向上させられる。また、表示板は、フレームに差し込むだけで装着できるので、装着が容易であり、この点でも設置作業性が向上させられる。
【０００９】
また、表示板の装着後に、表示の変更や、表示板の損傷などが生じて表示板を交換するときは、表示板をフレームのガイドフレームから抜き出し、それから、必要な表示板を再びフレームの上側からガイドフレームに差し込みスライドさせて挿入する。この場合、表示板の、挿脱だけの簡単な操作で表示板を着脱することができるので、従来に比較して、交換作業をきわめて簡単に行なうことができ、表示板の交換作業性が向上させられる。
【００１０】
工事が終わって、この工事用看板を倉庫などに収納するときは、表示板をフレームから抜き出し、スタンドと表示板とを別々に収納する。この場合、スタンドをまとめるが、フレームには表示板がないので、それだけ、集合させ易く、収納性が向上させられる。また、表示板は表示板だけで積み重ねて収納することができ、この表示板においてもコンパクトにまとめることができ、集合させ易く、収納性が向上させられる。即ち、本工事用看板は、非使用時の収納性も極めて良好になるのである。
【００１１】
更にまた、新しい、表示のものを作成しようとするときは、新しい表示の表示板を作成する。この場合、スタンドの数が足りていれば、表示板のみを作成するだけでよいので、それだけ、製造が容易でコストも低減させることができ、製造効率が向上させられる。
【００１２】
そして、必要に応じ、上記ガイドフレーム及び支持フレームを、上記表示板の裏面側を支承する支承壁と、該支承壁に立設され上記各辺の端面に沿う立設壁と、該立設壁に折曲形成され上記表示板の表面側を押える押え壁とを備えて構成している。表示板の保持を、断面コ字状の部材で保持するので、容易に抜け出ることがなく、保持を確実にすることができる。
【００１３】
この場合、上記支承壁を、上記表示板の裏面外周を支承する枠体で構成したことが有効である。表示板の上端も枠体で支承できるので、それだけ保持が確実になる。
また、必要に応じ、上記支持フレームを構成する立設壁に、水抜き穴を形成したことが有効である。使用中に降雨，降雪があっても、支持フレームを構成する立設壁には、水抜き穴が形成されているので、水を速やかに排出することができ、水により表示板が悪影響を受ける事態が防止される。
【００１４】
そしてまた、必要に応じ、上記表示板を、透明若しくは半透明の樹脂で形成している。表示板によって視覚が遮られることが防止され、そのため、歩行者や車両の死角が少なくなることから、安全性が確実に確保される。
【００１５】
また、必要に応じ、上記脚体は、一端が上記支持フレームの両端に固定され他端が接地される一対の固定脚と、一端が上記各ガイドフレームに夫々回動可能に設けられ他端が接地させられる棒状に形成され、回動させられて上記フレームに略沿う閉位置及び他端を接地させて該フレームを立設保持する開位置の２位置に位置させられる一対の可動脚と、該可動脚を開位置で上記フレームに係止する係止部とを備えて構成される。可動脚の開閉により、容易に設置及び収納を行なうことができるとともに、可動脚をその閉位置でフレームに略沿わせることができるので、よりコンパクトにでき収納を容易にすることができる。
【００１６】
この場合、上記一対の固定脚間に接地させられる架設杆を架設し、上記一対の可動脚間に接地させられる架設杆を架設し、各架設杆に接地面に止着するためのスタッド部材が挿通可能な挿通孔を設けたことが有効である。スタッド部材を挿通孔に挿通させて接地面に止着するだけで、スタンドの固定を容易に行なうことができる。また、脚体はスタッドで固定されるので、容易にぐらつくことがなく、確実に立設させておくことができる。
【考案の効果】
【００１７】
本考案の工事用看板によれば、表示板をフレームに対して着脱自在にした構成としたので、設置の際には、表示板とスタンドとを別々にして搬送できるので、搬送が容易になり、また、表示板を設けない状態でスタンドを設置できるので、表示板が邪魔になることがなく、それだけ、設置作業性を向上させることができる。
また、表示板は、フレームと別体になっているので、従来のように嵩張ることがなく、表示板が積み重ねられてまとまっていても、めくるなどして容易に所望の表示板を選択することができ、そのため、選択作業性を大幅に向上させることができる。更に、表示板は、フレームに差し込むだけで装着できるので、装着が容易であり、この点でも設置作業性を向上させることができる。
【００１８】
また、表示板の装着後に、表示の変更や、表示板の損傷などが生じて表示板を交換するときは、表示板の、挿脱だけの簡単な操作で表示板を着脱することができるので、従来に比較して、交換作業をきわめて簡単に行なうことができ、表示板の交換作業性を向上させることができる。
更に、この工事用看板を倉庫などに収納するときは、表示板とスタンドとを別々にして収納できるので、収納させやすくなり、非使用時の収納性を大幅に向上させることができる。
更にまた、新しい表示のものを作成しようとするときは、スタンドの数が足りていれば、表示板のみを作成するだけでよいので、それだけ、製造が容易でコストも低減させることができ、製造効率を向上させることができるなど、種々の効果を奏する。
【考案を実施するための最良の形態】
【００１９】
以下、添付図面に基づいて、本考案の実施の形態に係る工事用看板について詳細に説明する。
図１乃至図５に示すように、本考案の実施の形態に係る工事用看板Ｋの基本的構成は、表示板１と、スタンド１０とからなる。
表示板１は、透明若しくは半透明の樹脂で形成されており、上辺１ａ，下辺１ｂ，左右一対の側辺１ｃを有して矩形に形成され工事に関する情報が表示される。表示板１への表示は、表示板１に表示用ペンキを用いて描き、あるいは、表示用シールを貼付するなど適宜の手段で表出される。表示板１への表示としては、例えば、「工事中」，「工事中１００Ｍ先」，「工事中５０Ｍ先」，「徐行」，「片側交互通行」等である。予め、表示の種類の異なる表示板１が、複数用意される。
【００２０】
スタンド１０は、例えば、鉄やアルミニウムなどの金属製で形成されており、表示板１が付設されるフレーム１１と、フレーム１１に設けられこのフレーム１１を接地面に立設する脚体２０とを有している。
フレーム１１は、表示板１の左右一対の側辺１ｃが夫々スライド可能に挿通される一対のガイドフレーム１２と、一対のガイドフレーム１２間に架設され上記表示板１の下辺１ｂを支持する支持フレーム１３とを備えて構成されている。
【００２１】
詳しくは、ガイドフレーム１２及び支持フレーム１３は、表示板１の裏面側を支承する支承壁１４と、支承壁１４に立設され各辺の端面に沿う立設壁１５と、立設壁１５に折曲形成され表示板１の表面側を押える押え壁１６とを備えて構成されている。
支承壁１４は、表示板１の裏面外周を支承する断面Ｌ字状の型材を枠状に連接した枠体１７で構成され、立設壁１５及び押え壁１６は断面Ｌ字状の型材で形成されており、支承壁１４を構成する枠体１７に溶接固定されている。枠体１７の中間部には補強板１７ａが架設されている。
支持フレーム１３を構成する立設壁１５には、長孔状の水抜き穴１８が形成されている。
【００２２】
脚体２０は、一端が支持フレーム１３の両端に固定され他端が接地される一対の固定脚２１と、一端が各ガイドフレーム１２に夫々回動可能に設けられ他端が接地させられる一対の可動脚２２とを備えて構成されている。
固定脚２１は、断面矩形状の型材で構成されており、この一対の固定脚２１間には、接地させられる板状の架設杆２３が架設されている。架設杆２３には、接地面に止着するためのボルトやピンなどのスタッド部材２４（図３）が挿通可能な挿通孔２５が設けられている。
【００２３】
可動脚２２は、断面矩形状の型材で構成されており、ガイドフレーム１２の支承壁１４を構成し枠体１７を構成する型材の中間の内側にピン２６で回動可能に支持されている。そして、回動させられて、ガイドフレーム１２の支承壁１４を構成し枠体１７を構成する型材の中間の内側に略沿う閉位置Ｘ及びこの閉位置Ｘから回動させられて枠体１７から離間し他端を接地させてフレーム１１を立設保持する開位置Ｙの２位置に位置させられる。
可動脚２２の先端は、傾斜して切断されており、開位置Ｙでフレーム１１に当接により係止して可動脚２２を保持する係止部２７として構成されている。
また、この一対の可動脚２２間には、接地させられる板状の上記と同様の架設杆２３が架設されている。架設杆２３には、接地面に止着するためのボルトやピンなどのスタッド部材２４（図３）が挿通可能な上記と同様の挿通孔２５が設けられている。
【００２４】
従って、この実施の形態に係る工事用看板Ｋを工事現場などで使用するときは、先ず、所要の箇所に、スタンド１０を設置する。この際は、固定脚２１の他端を接地するとともに、可動脚２２を回動させて閉位置Ｘから開位置Ｙに位置させてその他端を接地する。
この場合、フレーム１１は、表示板１と別体になっているので、スタンド１０の搬送が容易になり、また、表示板１がないので、表示板１が邪魔になることがなく、脚体２０の開閉操作を容易に行なうことができ、それだけ、スタンド１０の設置作業性が向上させられる。
それから、必要に応じ、図３に示すように、架設杆２３にスタッド部材２４を挿通して接地面に固定脚２１及び可動脚２２を固定する。この場合、スタッド部材２４を挿通孔２５に挿通させて接地面に止着するだけでよいので、フレーム１１の固定を容易に行なうことができ、また、表示板１がないので、スタッド部材２４の止着の際も表示板１が邪魔になることがなく、この点でも、設置作業性が向上させられる。
【００２５】
この状態で、必要な表示板１を、フレーム１１の上側からガイドフレーム１２に差し込みスライドさせて挿入し、下端を支持フレーム１３に支持させる。
この場合、必要な表示板１を選択するが、表示板１は、フレーム１１と別体になっているので、従来のように嵩張ることがなく、表示板１が積み重ねられてまとまっていても、めくるなどして容易に所望の表示板１を選択することができ、そのため、選択作業性が向上させられる。また、表示板１は、フレーム１１に差し込むだけで装着できるので、装着が容易であり、この点でも設置作業性が向上させられる。
【００２６】
工事用看板Ｋが設置された状態では、表示板１の所要の表示を視認させることができる。この場合、脚体２０はスタッド部材２４で固定されているので、容易にぐらつくことがなく、確実に立設させておくことができる。また、表示板１は、支承壁１４，立設壁１５及び押え壁１６からなる断面コ字状の部材で保持されるので、容易に抜け出ることがなく、確実に保持される。更に、支承壁１４が表示板１の裏面外周を支承する枠体１７で構成されているので、表示板１の上端も枠体１７で支承されることになり、それだけ、表示板１が確実に保持される。
【００２７】
また、表示板１は、透明若しくは半透明なので、表示板１によって視覚が遮られることが防止され、そのため、歩行者や車両の死角が少なくなることから、安全性が確実に確保される。
更に、使用中に降雨，降雪があっても、支持フレーム１３を構成する立設壁１５には、水抜き穴１８が形成されているので、水を速やかに排出することができ、水により表示板１が悪影響を受ける事態が防止される。
【００２８】
更に、表示板１の装着後に、表示の変更や、表示板１の損傷などが生じて表示板１を交換するときは、表示板１をフレーム１１のガイドフレーム１２から抜き出し、それから、必要な表示板１を再びフレーム１１の上側からガイドフレーム１２に差し込みスライドさせて挿入する。この場合、表示板１の、挿脱だけの簡単な操作で表示板１を着脱することができるので、従来に比較して、交換作業をきわめて簡単に行なうことができ、表示板１の交換作業性が向上させられる。
【００２９】
また、工事が終わって、この工事用看板Ｋを倉庫などに収納するときは、表示板１をフレーム１１から抜き出し、スタンド１０と表示板１とを別々に収納する。この場合、脚体２０を折畳んでスタンド１０をまとめるが、可動脚２２はその閉位置Ｘでフレーム１１に略沿うので、コンパクトになり、また、フレーム１１には表示板１がないので、それだけ、集合させ易く、収納性が向上させられる。また、表示板１は表示板１だけで積み重ねて収納することができ、この表示板１においてもコンパクトにまとめることができ、集合させ易く、収納性が向上させられる。即ち、本工事用看板Ｋは、非使用時の収納性も極めて良好になるのである。
【００３０】
更にまた、新しい、表示のものを作成しようとするときは、新しい表示の表示板１を作成する。この場合、スタンド１０の数が足りていれば、表示板１のみを作成するだけでよいので、それだけ、製造が容易でコストも低減させることができ、製造効率が向上させられる。
【００３１】
尚、上記の例では、表示板１は、スタンド１０の設置後に装着したが、設置条件に応じて、先にフレーム１１に装着してからスタンド１０を設置してもよく適宜変更して差支えない。
【図面の簡単な説明】
【００３２】
【図１】本考案の実施の形態に係る工事用看板を示す分解斜視図である。
【図２】本考案の実施の形態に係る工事用看板を示す正面図である。
【図３】本考案の実施の形態に係る工事用看板を示す側面断面図である。
【図４】本考案の実施の形態に係る工事用看板を示す図３中Ａ−Ａ線断面図である。
【図５】本考案の実施の形態に係る工事用看板を示す図４中Ｂ−Ｂ線断面図である。
【図６】従来の工事用看板の一例を示す図である。
【符号の説明】
【００３３】
Ｋ  工事用看板
１  表示板
１０  スタンド
１２  ガイドフレーム
１３  支持フレーム
１４  支承壁
１５  立設壁
１６  押え壁
１７  枠体
１７ａ  補強板
１８  水抜き穴
２０  脚体
２１  固定脚
２２  可動脚
２３  架設杆
２４  スタッド部材
２５  挿通孔
２６  ピン
Ｘ  閉位置
Ｙ  開位置
２７  係止部
【図１】
0003110515.tif 000003
【図２】
0003110515.tif 000004
【図３】
0003110515.tif 000005
【図４】
0003110515.tif 000006
【図５】
0003110515.tif 000007
【図６】
0003110515.tif 000008